(57)【特許請求の範囲】
【請求項１】
電源部（１）から供給される電圧を平滑コンデンサ（Ｃｓ）で平滑した直流電圧をモータ駆動回路（３）に供給してモータ（４）を運転するための電源回路（１０）の放電装置であって、
前記モータ（４）の運転停止の指令に基づく前記電源部（１）からの給電停止時に、前記平滑コンデンサ（Ｃｓ）に蓄えられた電荷を放電させることが可能な放電抵抗（Ｒｄ）と、
前記放電抵抗（Ｒｄ）に直列接続され、前記平滑コンデンサ（Ｃｓ）から前記放電抵抗（Ｒｄ）への放電をオン／オフ制御する放電用スイッチング素子（５）と、
前記モータ（４）の運転停止の指令に基づく前記電源部（１）からの給電停止時には、抵抗を含む常時通電可能な受動回路に前記平滑コンデンサ（Ｃｓ）の端子電圧及び前記モータ駆動回路（３）からの回生電圧によって電流を流すことにより前記放電用スイッチング素子（５）をオンにする放電開始機能を有し、前記モータ（４）の運転に基づく給電時には当該放電開始機能を規制することにより前記放電用スイッチング素子（５）をオフにする放電制御回路（８）と、
前記モータ駆動回路（３）を制御して前記モータ（４）を運転し又は運転停止するとともに、前記モータ（４）を運転しているときは前記放電制御回路（８）に対して前記放電開始機能を規制する信号を出力し、前記モータ（４）の運転停止の指令と同時に、前記放電開始機能を作動させる信号を出力する制御部（７）とを備え、
前記放電制御回路（８）は、
複数の抵抗の直列体によって分圧して得た制御電圧を、前記放電用スイッチング素子（５）に付与することが可能な前記受動回路（Ｒｃ，Ｒａ，Ｒｂ）と、
前記制御部（７）の出力する信号によってオン／オフ制御され、オン動作により前記制御電圧の付与を妨害し、オフ動作で許可するように設けられた放電制御用スイッチング素子（６）と
を含む放電装置。
【請求項２】
電源部（１）と、当該電源部（１）から供給される電圧を平滑コンデンサ（Ｃｓ）で平滑する電源回路（１０）と、平滑された直流電圧の供給を受けるモータ駆動回路（３）と、当該モータ駆動回路（３）によって駆動されるモータ（４）とを備えた空調機であって、前記電源回路（１０）の放電装置（９）として、
前記モータ（４）の運転停止の指令に基づく前記電源部（１）からの給電停止時に、前記平滑コンデンサ（Ｃｓ）に蓄えられた電荷を放電させる放電抵抗（Ｒｄ）と、
前記放電抵抗（Ｒｄ）に直列接続され、前記平滑コンデンサ（Ｃｓ）から前記放電抵抗（Ｒｄ）への放電をオン／オフ制御する放電用スイッチング素子（５）と、
前記モータ（４）の運転停止の指令に基づく前記電源部（１）からの給電停止時には、抵抗を含む常時通電可能な受動回路に前記平滑コンデンサ（Ｃｓ）の端子電圧及び前記モータ駆動回路（３）からの回生電圧によって電流を流すことにより前記放電用スイッチング素子（５）をオンにする放電開始機能を有し、前記モータ（４）の運転に基づく給電時には当該放電開始機能を規制することにより前記放電用スイッチング素子（５）をオフにする放電制御回路（８）と、
前記モータ駆動回路（３）を制御して前記モータ（４）を運転し又は運転停止するとともに、前記モータ（４）を運転しているときは前記放電制御回路（８）に対して前記放電開始機能を規制する信号を出力し、前記モータ（４）の運転停止の指令と同時に、前記放電開始機能を作動させる信号を出力する制御部（７）とを備え、
前記放電制御回路（８）は、
複数の抵抗の直列体によって分圧して得た制御電圧を、前記放電用スイッチング素子（５）に付与することが可能な前記受動回路（Ｒｃ，Ｒａ，Ｒｂ）と、
前記制御部（７）の出力する信号によってオン／オフ制御され、オン動作により前記制御電圧の付与を妨害し、オフ動作で許可するように設けられた放電制御用スイッチング素子（６）と
を含む空調機。
【請求項３】
前記受動回路の一部の抵抗（Ｒｃ）は、前記直流電圧が印加される２電路（Ｐ，Ｎ）間において、前記放電制御用スイッチング素子（６）と直列接続した状態で設けられ、
残余の抵抗（Ｒａ，Ｒｂ）は、前記放電制御用スイッチング素子（６）と並列接続され、かつ、２つの抵抗を互いに直列に接続して成り、その接続点から前記放電用スイッチング素子（５）に制御電圧を付与するものである、請求項１記載の放電装置。
【請求項４】
前記受動回路の一部の抵抗（Ｒｃ）は、前記直流電圧が印加される２電路（Ｐ，Ｎ）間において、前記放電制御用スイッチング素子（６）と直列接続した状態で設けられ、
残余の抵抗（Ｒａ，Ｒｂ）は、前記放電制御用スイッチング素子（６）と並列接続され、かつ、２つの抵抗を互いに直列に接続して成り、その接続点から前記放電用スイッチング素子（５）に制御電圧を付与するものである、請求項２記載の空調機。
【発明の詳細な説明】
【技術分野】
【０００１】
本発明は、空調機のモータ駆動用に用いられる電源回路の放電装置に関する。
【背景技術】
【０００２】
空調機のコンプレッサやファンを駆動するモータは、ＩＧＢＴ等の半導体スイッチング素子で構成されたモータ駆動回路により駆動されている。このようなモータ駆動回路には直流電圧を供給するため、その前段に、商用交流電源の交流電圧を全波整流して平滑コンデンサを通すＡＣ／ＤＣ変換回路が設けられる。この平滑コンデンサには、モータ停止後も、高電圧（例えば２８０Ｖ）が残っているため、保守作業時の安全確保のために、放電抵抗が並列に接続されている（例えば、特許文献１参照。）。
【０００３】
図４は、平滑コンデンサの電荷を放電抵抗によって放電させる放電装置の、より実用的な回路図である。図において、平滑コンデンサＣｓは３個並列に設けられている。放電抵抗は、抵抗１個の熱容量を勘案して、４個並列×３段直列の格子状に接続された合計１２個の放電抵抗Ｒｄによって構成されている。２電路Ｐ，Ｎ間には、上流側の電源部より、全波整流された直流電圧が供給される。モータの運転中は、電源部で生成された直流電圧が、平滑コンデンサＣｓにより平滑され、モータ駆動回路へ供給される。
【０００４】
モータを停止させると、電源部内の主リレー接点（図示せず。）が開き、直流電圧は供給されない状態となる。この状態では、電荷が蓄えられた平滑コンデンサＣｄの端子電圧及び、モータ駆動回路からの回生電圧によって放電抵抗Ｒｄに放電電流が流れ、電荷は熱となって消費され、電路Ｐの電位は低下する。また、モータが停止すれば、回生電圧も０となる。従って、モータ停止後に保守作業者が電路ＰやＮに触れたとしても、感電の恐れは無いように配慮されている。
【先行技術文献】
【特許文献】
【０００５】
【特許文献１】特開２００１−１９００６０号公報（図２）
【発明の概要】
【発明が解決しようとする課題】
【０００６】
しかしながら、上記のような従来の放電装置では、モータの通常運転時にも常に放電抵抗Ｒｄに電流が流れ、電力損失が発生する。
かかる従来の問題点に鑑み、本発明は、電力損失を低減した放電装置及びこれを含む空調機を提供することを目的とする。
【課題を解決するための手段】
【０００７】
本発明は、電源部から供給される電圧を平滑コンデンサで平滑した直流電圧をモータ駆動回路に供給してモータを運転するための電源回路の放電装置であって、前記モータの運転停止の指令に基づく前記電源部からの給電停止時に、前記平滑コンデンサに蓄えられた電荷を放電させることが可能な放電抵抗と、前記放電抵抗に直列接続され、前記平滑コンデンサから前記放電抵抗への放電をオン／オフ制御する放電用スイッチング素子と、前記モータの運転停止の指令に基づく前記電源部からの給電停止時には、抵抗を含む常時通電可能な受動回路に前記平滑コンデンサの端子電圧及び前記モータ駆動回路からの回生電圧によって電流を流すことにより前記放電用スイッチング素子をオンにする放電開始機能を有し、前記モータの運転に基づく給電時には当該放電開始機能を規制することにより前記放電用スイッチング素子をオフにする放電制御回路と、前記モータ駆動回路を制御して前記モータを運転し又は運転停止するとともに、前記モータを運転しているときは前記放電制御回路に対して前記放電開始機能を規制する信号を出力し、前記モータの運転停止の指令と同時に、前記放電開始機能を作動させる信号を出力する制御部とを備え、前記放電制御回路は、複数の抵抗の直列体によって分圧して得た制御電圧を、前記放電用スイッチング素子に付与することが可能な前記受動回路と、前記制御部の出力する信号によってオン／オフ制御され、オン動作により前記制御電圧の付与を妨害し、オフ動作で許可するように設けられた放電制御用スイッチング素子とを含むものである。
【０００８】
上記のように構成された放電装置では、給電時すなわちモータの通常運転時は放電用スイッチング素子がオフで、放電抵抗による放電は行われない。従って、通常運転時の電力損失を抑制することができる。一方、給電停止時は、放電用スイッチング素子がオンになるので、平滑コンデンサから放電抵抗に放電電流が流れる。従って、平滑コンデンサの端子電圧は下がり、保守作業者に強い衝撃を与える程の感電の恐れは無くなる。また、抵抗を含む常時通電可能な受動回路に平滑コンデンサの端子電圧及びモータ駆動回路からの回生電圧によって電流を流すことにより放電用スイッチング素子をオンにするので、他の制御要素の影響を受けることなく自律的に確実に動作する。
【００１０】
また、給電時に、制御部が放電制御用スイッチング素子をオンにしているときは、放電用スイッチング素子はオンしない。給電停止時は、制御部が放電制御用スイッチング素子をオフにすることにより、抵抗分圧で得られる制御電圧が付与された放電用スイッチング素子が確実にオンし、放電抵抗に放電電流が流れる。
【００１１】
また、上記の放電装置において、受動回路の一部の抵抗は、直流電圧が印加される２電路間において、放電制御用スイッチング素子と直列接続した状態で設けられ、残余の抵抗は、放電制御用スイッチング素子と並列接続され、かつ、２つの抵抗を互いに直列に接続して成り、その接続点から放電用スイッチング素子に制御電圧を付与するものであってもよい。
【００１２】
この場合、給電停止時に、制御部の故障や放電制御用スイッチング素子の故障等により、放電制御用スイッチング素子がオンのままとなったとしても、上記一部の抵抗と、オンのままの放電制御用スイッチング素子とを通して電流が流れ、平滑コンデンサの電荷は徐々に放電する。
【００１３】
一方、本発明は、電源部と、当該電源部から供給される電圧を平滑コンデンサで平滑する電源回路と、平滑された直流電圧の供給を受けるモータ駆動回路と、当該モータ駆動回路によって駆動されるモータとを備えた空調機であって、前記電源回路の放電装置として、
前記モータの運転停止の指令に基づく前記電源部からの給電停止時に、前記平滑コンデンサに蓄えられた電荷を放電させる放電抵抗と、前記放電抵抗に直列接続され、前記平滑コンデンサから前記放電抵抗への放電をオン／オフ制御する放電用スイッチング素子と、前記モータの運転停止の指令に基づく前記電源部からの給電停止時には、抵抗を含む常時通電可能な受動回路に前記平滑コンデンサの端子電圧及び前記モータ駆動回路からの回生電圧によって電流を流すことにより前記放電用スイッチング素子をオンにする放電開始機能を有し、前記モータの運転に基づく給電時には当該放電開始機能を規制することにより前記放電用スイッチング素子をオフにする放電制御回路と、モータ駆動回路を制御してモータを運転し又は運転停止するとともに、前記モータを運転しているときは放電制御回路に対して放電開始機能を規制する信号を出力し、モータの運転停止の指令と同時に、放電開始機能を作動させる信号を出力する制御部とを備えたものである。
【００１４】
上記の空調機に搭載された放電装置では、給電時すなわちモータの通常運転時は放電用スイッチング素子がオフで、放電抵抗による放電は行われない。従って、通常運転時の電力損失を抑制することができる。一方、給電停止時は、放電用スイッチング素子がオンになるので、平滑コンデンサから放電抵抗に放電電流が流れる。従って、平滑コンデンサの端子電圧は下がり、保守作業者に強い衝撃を与える程の感電の恐れは無くなる。また、抵抗を含む常時通電可能な受動回路に平滑コンデンサの端子電圧及びモータ駆動回路からの回生電圧によって電流を流すことにより放電用スイッチング素子をオンにするので、他の制御要素の影響を受けることなく自律的に確実に動作する。
また、給電時に、制御部が放電制御用スイッチング素子をオンにしているときは、放電用スイッチング素子はオンしない。給電停止時は、制御部が放電制御用スイッチング素子をオフにすることにより、抵抗分圧で得られる制御電圧が付与された放電用スイッチング素子が確実にオンし、放電抵抗に放電電流が流れる。
【発明の効果】
【００１５】
本発明の放電装置／空調機によれば、モータの通常運転時の電力損失を抑制することができる。また、放電をさせる場合には、他の制御要素の影響を受けることなく自律的に確実に動作するという利点がある。
【図面の簡単な説明】
【００１６】
【図１】本発明の一実施形態に係る放電装置を含む電力変換装置の回路図である。
【図２】図１と同一回路図に放電制御のための電流の流れを書き込んだ図であり、モータの運転停止時の放電制御を表している。
【図３】図１と同一回路図に放電制御のための電流の流れを書き込んだ図であり、モータの運転停止時（但し、故障ありの場合）の放電制御を表している。
【図４】従来の放電装置に基づく、より実用的な回路図である。
【発明を実施するための形態】
【００１７】
《全体の回路構成》
図１は、本発明の一実施形態に係る放電装置を含む電力変換装置の回路図である。また、図２，図３は、図１と同一回路図に放電制御のための電流の流れを書き込んだ図である。このような電力変換装置は、空調機の室外機又は室内機に搭載され、コンプレッサやファンのモータを駆動する。
図１において、電源部１は、開閉可能な主リレー接点１１と、整流回路１２とを有している。商用交流電源ＰＳから供給された交流電圧は、閉じた主リレー接点１１を介して整流回路１２で全波整流される。主リレー接点１１は、マイクロコンピュータを含む制御部７によって開閉される。
【００１８】
整流回路１２の出力（脈流）はリアクトル２を介して平滑コンデンサＣｓに供給され、平滑される。この例では、３つの平滑コンデンサＣｓが互いに並列に設けられており、それぞれの容量は同じである。従って、全体としては個々の容量の３倍の容量となる。２電路Ｐ，Ｎ間には、平滑コンデンサＣｓによって平滑された直流電圧が印加される。この直流電圧は、モータ駆動回路３にモータ駆動用電源として供給される。このようにして、モータ駆動回路３から見れば、電源部１から供給される電圧を平滑コンデンサＣｓで平滑した直流電圧を自己に供給する電源回路１０が構成されている。また、モータ駆動回路３は半導体スイッチング素子で構成されたインバータ装置であり、制御部７によってＰＷＭ制御される。
【００１９】
上記電源回路１０における電源部１と平滑コンデンサＣｓとの間には、放電装置９が設けられている。放電装置９は、放電電流を流すための回路と、放電電流を流すか否かを制御する放電制御回路８とを含んでいる。放電電流を流すための回路は、４個並列×３段の格子状に接続された１２個の放電抵抗Ｒｄ（符号が抵抗値も表すものとする。以下同様。）と、放電抵抗Ｒｄ（全体）に直列接続された放電用スイッチング素子（トランジスタ）５とを、２電路Ｐ，Ｎ間に設けたものである。個々の放電抵抗Ｒｄの抵抗値は同じであり、全体としては、（３／４）Ｒｄの抵抗体となる。また、全体としての熱容量は、個々の熱容量の１２倍となる。
【００２０】
放電制御回路８は、まず、２電路Ｐ，Ｎ間に設けられる４つの抵抗Ｒｃの直列体と、この直列体に対して直列に接続された放電制御用スイッチング素子（ＭＯＳ−ＦＥＴ）６とを備えている。さらに、放電制御回路８は、他の抵抗Ｒａ及びＲｂを備えており、これらの抵抗Ｒａ，Ｒｂを直列体として見た場合に、その両端は、放電制御用スイッチング素子６のドレイン−ソース間に並列に接続されている。また、抵抗ＲａとＲｂとの接続点が、放電用スイッチング素子５のベースに接続されており、従って、抵抗Ｒｂ両端の電位差が、放電用スイッチング素子５のベース−エミッタ間電圧ＶＢＥとなる。放電制御用スイッチング素子６は、制御部７によってオン／オフ制御される。
【００２１】
《放電制御回路の機能の概要》
上記のように構成された放電制御回路８は、抵抗の直列体（Ｒｃ，Ｒａ，Ｒｂ）によって分圧して得た制御電圧（抵抗Ｒｂの両端電圧）を、放電用スイッチング素子５に付与することが可能な受動回路を備えているものである。すなわち、抵抗のような受動素子で構成された受動回路により、放電用スイッチング素子５をオンさせることを基本とした回路である。また、放電制御用スイッチング素子６は、オン動作により制御電圧の付与を妨害し、オフ動作で許可する、という性格を有する。
【００２２】
また、放電制御回路８は、電源部１からの給電停止時には、抵抗を含む常時通電可能な受動回路に平滑コンデンサＣｓの端子電圧及びモータ駆動回路３からの回生電圧によって電流を流すことにより放電用スイッチング素子５をオンにする放電開始機能を有し、給電時には当該放電開始機能を規制することにより放電用スイッチング素子５をオフにするものである。
【００２３】
《通常運転時の動作》
上記のように構成された放電装置は、モータ４の通常運転時においては、まず、制御部７の指令によって主リレー接点１１が閉じて、２電路Ｐ，Ｎ間の平滑された直流電圧がモータ駆動回路３に供給される。この直流電圧ＶＯＮは、商用交流電圧が２００Ｖ（実効値）とすると、その最大値（√２倍）に相当する約２８０Ｖとなる。そして、モータ駆動回路３は、制御部７によるＰＷＭ制御によりモータ４を可変速で回転させる。
【００２４】
一方、通常運転時において制御部７は、放電制御用スイッチング素子６をオンの状態としている。従って、２電路Ｐ，Ｎ間の直流電圧ＶＯＮにより、４つの抵抗Ｒｃの直列体と放電制御用スイッチング素子６とに電流が流れる。これにより電力損失が生じるが、４個直列の抵抗Ｒｃを設けていることにより、電流は、ほぼ（ＶＯＮ／４Ｒｃ）となる。この電流値は、抵抗Ｒｃの適切な選定により小さくすることができ、その場合には電力損失も小さい。
【００２５】
放電制御用スイッチング素子６がオンであれば、微小なオン抵抗によるドレイン−ソース間の電位差が抵抗Ｒａ、Ｒｂで分圧され、抵抗Ｒｂの端子間電圧が放電用スイッチング素子５のベース−エミッタ間電圧となる。しかし、この電圧は非常に小さく、放電用スイッチング素子５をターンオンさせる電圧の例えば数百分の１レベルでしかない。従って、放電用スイッチング素子５はオフであり、放電抵抗Ｒｄには電流が流れず、大きな電力損失は生じない。すなわち、通常運転時の電力損失は抑制（低減）される。
【００２６】
《運転停止時の動作１》
次に、図２を参照して、運転停止時の動作について説明する。制御部７はモータ４の運転を停止させると、主リレー接点１１を開路させる。従って、電源部１による給電は停止となる。停止時に、平滑コンデンサＣｓには電荷が蓄えられており、通常運転時の直流電圧に基づいて、端子電圧は２８０Ｖとなっている。また、停止直後は、モータ４が完全に停止するまで電力回生が生じ、モータ駆動回路３から２電路Ｐ，Ｎに回生電圧が付与される。この回生電圧は数値例を挙げると最大１２０Ｖであり、逆極性（電路Ｎに−１２０Ｖ）で付与される。この結果、２電路Ｐ，Ｎ間には、平滑コンデンサＣｓの端子（間）電圧２８０Ｖに、回生電圧１２０Ｖを加えた４００Ｖが印加されることになる。
【００２７】
一方、モータ４の運転停止と同時に制御部７は放電制御用スイッチング素子６をオフにする。これにより、直流電圧ＶＯＦＦ（最大４００Ｖ）による電流が、図示のように、電路Ｐから４個の抵抗Ｒｃ、抵抗Ｒａ、及び、抵抗Ｒｂを通って電路Ｎへ流れる。このとき、抵抗Ｒｂの両端電圧は、（Ｖ-ＯＦＦ／（４Ｒｃ＋Ｒａ＋Ｒｂ））・Ｒｂとなるところであるが、これは、放電用スイッチング素子５をターンオンさせる電圧を超える。従って、抵抗Ｒｂの両端電圧が立ち上がる途中で放電用スイッチング素子５はオンになる。
【００２８】
放電用スイッチング素子５がオンになると、放電抵抗Ｒｄ（全体）に放電電流が流れ、平滑コンデンサＣｓの端子電圧は低下する。端子電圧の低下、及び、モータ４が失速することによる回生電圧の低下により、電路Ｐ，Ｎ間の電圧ＶＯＦＦは低下するが、所定の電圧（例えば１０Ｖ）までは放電用スイッチング素子５のオンを維持できるように抵抗Ｒｃ，Ｒａ，Ｒｂの抵抗値が設定されている。この所定の電圧とは、仮に、保守作業者が電路ＰやＮに触れても電撃を感じない程度の低い電圧である。こうして、保守作業者に強い衝撃を与える程の感電の恐れを無くすことができる。
【００２９】
なお、電路Ｐ，Ｎ間の電圧ＶＯＦＦが上記所定の電圧より低くなれば、放電用スイッチング素子５はオフになり、これ以降は、放電抵抗Ｒｄには電流が流れなくなる。しかしながら、平滑コンデンサＣｓの低い端子電圧により（４Ｒｃ＋Ｒａ＋Ｒｂ）の抵抗回路に電流が流れ、電荷は徐々に放電する。従って、最終的には全放電する。
【００３０】
《運転停止時の動作２》
次に、図３を参照して、上記とは異なる状況での運転停止時の動作について説明する。すなわち、モータ４の運転は停止され、主リレー接点１１も開いたが、制御部７の故障又は放電制御用スイッチング素子６の故障によって、放電制御用スイッチング素子６がオンのままになった、という状況である。すなわち、放電制御回路８のみを見れば、通常運転時と同じ状態である。
【００３１】
この場合、上記と同様に、２電路Ｐ，Ｎ間には、平滑コンデンサＣｓの端子（間）電圧２８０Ｖに、回生電圧１２０Ｖを加えた４００Ｖが印加されている。これにより、直流電圧（最大４００Ｖ）による電流が、図示のように、電路Ｐから４個の抵抗Ｒｃ及びオンのままの放電制御用スイッチング素子６を通って電路Ｎへ流れる。この電流は、ほぼ（ＶＯＦＦ／４Ｒｃ）となる。
【００３２】
この場合には、電路Ｐ，Ｎ間の直流電圧ＶＯＦＦ（最大４００Ｖ）による電流がオンのままの放電制御用スイッチング素子６に流れ、オン抵抗によるドレイン−ソース間の電位差が抵抗Ｒａ、Ｒｂで分圧され、抵抗Ｒｂの端子間電圧が放電用スイッチング素子５のベース−エミッタ間電圧となる。この電圧は、前述の通常運転時の場合と比べて電圧が高くなる（２８０Ｖ→４００Ｖ）分だけ、若干増大するが、それでも非常に小さく、放電用スイッチング素子５をターンオンさせる電圧には到底足りない。従って、放電用スイッチング素子５はオフであり、放電抵抗Ｒｄには電流が流れない。
【００３３】
しかしながら、４直列の抵抗Ｒｃからオン状態の放電制御用スイッチング素子６を通して徐々にではあるが放電が行われ、最終的には、平滑コンデンサＣｓの電荷を全て放電させることができる。すなわち、放電のペースは遅くなるが、万一故障が発生しても、最終的には全放電により保守作業者の感電の恐れを無くすことができる。
【００３４】
《動作のまとめ》
以上のように、上記のように構成された放電装置９では、給電時すなわちモータの通常運転時は放電用スイッチング素子５がオフで、放電抵抗Ｒｄによる放電は行われない。従って、通常運転時の電力損失を抑制することができる。一方、給電停止時は、放電用スイッチング素子５がオンになるので、平滑コンデンサＣｓから放電抵抗Ｒｄに放電電流が流れる。従って、平滑コンデンサＣｓの端子電圧は下がり、保守作業者に強い衝撃を与える程の感電の恐れは無くなる。また、抵抗（Ｒｃ，Ｒａ，Ｒｂ）を含む常時通電可能な受動回路に平滑コンデンサＣｓの端子電圧及びモータ駆動回路３からの回生電圧によって電流を流すことにより放電用スイッチング素子５をオンにするので、他の制御要素の影響を受けることなく自律的に確実に動作する。
【００３５】
《その他》
なお、上記の放電装置は、空調機に搭載されるものであるが、電力変換を経てインバータ方式でモータを駆動する各種の機器にも適用可能である。
また、上記実施形態における放電制御回路８は、抵抗の直列体（Ｒｃ，Ｒａ，Ｒｂ）のみによって構成される受動回路を含むものを示したが、抵抗以外の受動素子であるコンデンサやコイルを用いて同様に放電用スイッチング素子５をオンにする回路を構成することも可能である。
【符号の説明】
【００３６】
１：電源部
３：モータ駆動回路
４：モータ
５：放電用スイッチング素子
６：放電制御用スイッチング素子
７：制御部
８：放電制御回路
９：放電装置
１０：電源回路
Ｃｓ：平滑コンデンサ
Ｒａ，Ｒｂ，Ｒｃ：抵抗
Ｒｄ：放電抵抗
【図１】
0005511488.tif 000002
【図２】
0005511488.tif 000003
【図３】
0005511488.tif 000004
【図４】
0005511488.tif 000005